(57)【要約】【課題】オペレータの労力と時間を軽減すると共に、工程データを製品単位であるロール単位に関連づけることができるので、精度のよい工程管理を行うことができる。【解決手段】センサー類がロール製造装置１２から周期的に工程データを収集したら、工程データをデータベース６４に、データ収集時刻が付された工程データとして保存する。そして、工程データ管理サーバ２０は、データベース６４からロール単位の工程データを収集してロール情報を作成し、作成されたロール情報に基づいてロール単位のロール報７４を作成する。これにより、工程データをロール単位に関連づけた帳票ファイルを作成することができる。【選択図】　図１
2004038623.tif 000002
【特許請求の範囲】
【請求項１】
ロール供給部に装着された未処理ロールからウェブを処理ラインに搬送し、該処理ラインで所定の処理が施されたウェブをロール巻取部にて巻き取って製品ロールを製造するロール製造装置に適用されるロール報作成システムであって、
前記ロール製造装置から周期的に工程データを収集するデータ収集手段と、
前記データ収集手段によって収集された工程データをデータ収集時刻が付された工程データとして保存するデータベースと、
前記データベースからロール単位の工程データを収集してロール情報を作成するロール情報作成手段と、
前記ロール情報作成手段によって作成されたロール情報に基づいてロール単位の帳票ファイルを作成する帳票ファイル作成手段と、
を備えたことを特徴とするロール報作成システム。
【請求項２】
前記ロール情報作成手段は、或るロールの工程データを収集する際に、前記ロールのウェブ先端が前記ロール巻取部で巻き取られる巻取開始時刻よりも次式の所定の時間ｔ、
ｔ＝（処理ラインの入口からロール巻取部までの距離）／ラインスピード
だけ前の時刻をデータ収集開始時刻とし、前記ロールの巻取終了時刻をデータ収集終了時刻とし、前記データ収集開始時刻からデータ収集終了時刻までの間のデータ収集時刻が付された工程データを前記データベースから収集することを特徴とする請求項１のロール報作成システム。
【請求項３】
前記帳票ファイル作成手段は、或るロールのロール巻取部での巻取終了後に前記ロールを特定するための識別情報と、データ収集開始時刻と、データ収集終了時刻とを有する一時的な帳票ファイルを作成し、任意の時刻に前記ロールに対するデータ取得指示操作が行われると、前記ロール情報作成手段は、前記一時的な帳票ファイルに保存されたデータ収集開始時刻及びデータ収集終了時刻に基づいて前記データベースから対応するロールの工程データを収集し、前記帳票ファイル作成手段は、前記収集された工程データを前記一時的な帳票ファイルに統合させた最終的な帳票ファイルを作成することを特徴とする請求項１又は２のロール報作成システム。
【請求項４】
請求項１〜３の何れか１のロール報作成システムには、ロール製造装置からの工程警報や製品故障等のメッセージデータをデータ収集時刻が付されたメッセージデータとして保存するデータベースを有することを特徴とするロール報作成システム。
【発明の詳細な説明】
【０００１】
【発明の属する技術分野】
本発明はロール報作成システムに係り、特にロール供給部に装着された未処理ロールからウェブを処理ラインに搬送し、該処理ラインで塗布・乾燥処理が施されたウェブをロール巻取部にて巻き取ってロール状の塗層シートを製造するロール製造装置に好適なロール報作成システムに関する。
【０００２】
【従来の技術】塗層シートのロール製造装置は、主として、調液工程、送液工程、塗布・乾燥工程で構成され、塗布・乾燥工程ではロール供給部に装着された未処理ロールからウェブを処理ラインに搬送し、該処理ラインで塗布・乾燥処理が施されたウェブをロール巻取部にて巻き取って製品ロールにする。
【０００３】
かかるロール製造装置におけるデータ管理は、調液工程、送液工程、塗布・乾燥工程の各工程を基準に工程データが収集されてデータベースに蓄積される。そして、オペレータが、蓄積された工程データの中から、或る時刻における工程データ（瞬時データ）や工程データを経時的に並べたトレンドデータを見てその時刻における工程状態を判断したり、収集した工程データを時系列で記録媒体に保管することにより、過去に起きた工程故障や製品故障の解析を行っていた。
【０００４】
【発明が解決しようとする課題】
しかしながら、従来は、例えば製品の品質故障発生時にその原因を見つけようとする場合、品質異常のあったロールやバッチの特定や製造した日時や期間の特定を行った上で、その期間の工程データのトレンド情報を表示手段に表示し、更には、その期間のメッセージデータを表示してキーワード検索などの絞り込みにより品質故障に関係のあるメッセージデータを抽出する、といった作業が必要になり、オペレータに過大な労力と時間を課していた。
【０００５】
また、ロール製造装置のようにロール供給部から送り出されたウェブをロール巻取部に巻き取る場合には、通常、部分的な製品不良が発生してもロール巻取部でウェブを巻き終わるまで運転を停止することはない。従って、工程データやメッセージデータの管理も従来のような各工程を基準にしたものではなくロール製造装置に適したものが要望されていた。
【０００６】
本発明はこのような事情に鑑みて成されたもので、オペレータの労力と時間を軽減すると共に、ロール製造装置に好適な工程データの管理を行うことができるので、精度のよい工程管理を行うことができるロール報作成システムを提供することを目的とする。
【０００７】
【課題を解決するための手段】
本発明の請求項１は、前記目的を達成するために、ロール供給部に装着された未処理ロールからウェブを処理ラインに搬送し、該処理ラインで所定の処理が施されたウェブをロール巻取部にて巻き取って製品ロールを製造するロール製造装置に適用されるロール報作成システムであって、前記ロール製造装置から周期的に工程データを収集するデータ収集手段と、前記データ収集手段によって収集された工程データをデータ収集時刻が付された工程データとして保存するデータベースと、前記データベースからロール単位の工程データを収集してロール情報を作成するロール情報作成手段と、前記ロール情報作成手段によって作成されたロール情報に基づいてロール単位の帳票ファイルを作成する帳票ファイル作成手段と、を備えたことを特徴とする。
【０００８】
例えば、ロール供給部に装着された未処理ロールからウェブを処理ラインに搬送し、該処理ラインで塗布・乾燥処理が施されたウェブをロール巻取部にて巻き取って製品ロールを製造する塗層シートのロール製造装置のように、製品単位がロール単位である場合には、ロール単位が製造の１バッチになる。また、ロール製造装置のようにロール供給部から送り出されたウェブをロール巻取部に巻き取る場合には、通常、部分的な製品不良が発生してもロール巻取部でウェブを巻き終わるまで運転を停止することはない。従って、工程データを従来のように各工程を基準に収集するのではなく、ロール単位を基準として収集した帳票ファイルを作成することにより、精度の良い工程管理を行うことができる。
【０００９】
本発明は、かかる技術思想を具現化したもので、データ収集手段がロール製造装置から周期的に工程データを収集したら、データ収集手段によって収集された工程データを、データ収集時刻が付された工程データとしてデータベースに保存する。そして、ロール情報作成手段がデータベースからロール単位の工程データを収集してロール情報を作成し、ロール情報作成手段によって作成されたロール情報に基づいて帳票ファイル作成手段がロール単位の帳票ファイルを作成する。これにより、工程データをロール単位に関連づけた帳票ファイルを作成することができる。ここで、帳票ファイルとは、「製造中の実績データを収集してまとめたデータ一覧表」をいう。
【００１０】
本発明の請求項２は、ロール単位ごとに作成する帳票ファイルのデータ収集開始をどのようなタイミングで行うかを規定したもので、ロール情報作成手段は、或るロールの工程データを収集する際に、ロールのウェブ先端がロール巻取部で巻き取られる巻取開始時刻よりも次式の所定の時間ｔ、
ｔ＝（処理ラインの入口からロール巻取部までの距離）／ラインスピード
だけ前の時刻をデータ収集開始時刻とし、ロールの巻取終了時刻をデータ収集終了時刻とし、データ収集開始時刻からデータ収集終了時刻までの間のデータ収集時刻が付された工程データを前記データベースから収集するようにした。例えば、処理ラインで塗布・乾燥を行う塗層シートの製造でみた場合、ロール供給部でロールチェンジがなされた未処理ロールのウェブ先端に塗布が開始された時点で、そのロールに対応する工程データが発生するので、ウェブ先端がロール巻取部で巻き取られる巻取開始時刻とロールに対応した工程データのデータ収集開始時刻とはズレがある。即ち、帳票ファイルを作成するロールに対応する工程データは、上記式に基づいて巻取開始時刻から所定時間逆上った時刻からデータ収集する必要があるためである。これにより、ロール単位の帳票ファイルを作成するロールに対応する工程データの最初から終わりまでを収集することができるので、工程データを完全にロール単位に関連づけることができる。従って、精度良くデータ解析を行うことができる。
【００１１】
本発明の請求項３は、ロール報作成システムになるべく負荷をかけずにいかに効率よく帳票ファイルを作成するかを規定したもので、帳票ファイル作成手段は、或るロールのロール巻取部での巻取終了後にロールを特定するための識別情報と、データ収集開始時刻と、データ収集終了時刻とを有する一時的な帳票ファイルを作成し、任意の時刻に前記ロールに対するデータ取得指示操作が行われると、ロール情報作成手段は、前記一時的な帳票ファイルに保存されたデータ収集開始時刻及びデータ収集終了時刻に基づいてデータベースから対応するロールの工程データを収集し、前記帳票ファイル作成手段は、前記収集された工程データを前記一時的な帳票ファイルに統合させた最終的な帳票ファイルを作成する。即ち、一時的な帳票ファイルには、工程データをロール単位に関連づけるための最低限必要なデータのみを取り込んでおいて、オペレータが最終的な帳票ファイルを作成操作をするときに、データベースに保存されていた工程データが一時的な帳票ファイルに貼り付けられるようにした。これにより、ロール報作成システムは、データベースに時系列で保存されている工程データの中から、或るロール単位に対応する時間範囲の工程データだけを、予め作成してある一時的な帳票ファイルに貼り付けていくだけでよいので、最終的な帳票ファイルを短時間で効率的に作成することができる。
【００１２】
本発明の請求項４は、ロール報作成システムには、ロール製造装置からの工程警報や製品故障等のメッセージデータをデータ収集時刻が付されたメッセージデータとして保存するデータベースを有するようにしたので、ロール単位ごとに工程データとメッセージデータとを関連づけることができるので、工程故障や製品故障の解析を行い易い。
【００１３】
【発明の実施の形態】
以下添付図面に従って本発明に係るロール報作成システムの好ましい実施の形態について詳説する。
【００１４】
図１は、本発明に係るロール報作成システム１０を、塗層シートの製品ロールを製造するためのロール製造装置１２に組み込んだ一例の全体構成図である。図１に示すように、塗層シートのロール製造装置１２は、主として、調液工程１４、送液工程１６、塗布・乾燥工程１８、これらの工程１４、１６、１８での工程データを管理する工程データ管理サーバ２０とメッセージを管理するメッセージサーバ２２とで構成される。
【００１５】
調液工程１４には、調液タンク２４が設けられ、塗布液を調製するための複数の薬品Ａ、Ｂがそれぞれの薬品配管２６、２８を介して供給される。それぞれの薬品配管２６、２８には、薬品の供給量を計量する流量計２６Ａ、２８Ａと供給量を調整するバルブ２６Ｂ、２８Ｂが設けられる。調液タンク２４内では供給された薬品Ａ、Ｂが攪拌機３０で混合されると共に、恒温槽３２を介して循環ポンプ３４により循環配管３６を循環される。また、調液タンク２４の外周壁には保温ジャケット３８が被覆される。これにより、調製された塗布液が所定温度に維持される。調液タンク２４内、保温ジャケット３８、恒温槽３２には、それぞれの温度を測定する温度センサー２４Ａ，３８Ａ，３２Ａが設けられる共に、攪拌機には回転数を測定するタコメータ３０Ａが設けられる。そして、流量計２６Ａ、２８Ａでの薬品Ａ、Ｂの供給量、各温度センサー２４Ａ，３８Ａ，３２Ａ、での測定温度、及びタコメータ３０Ａでの回転数が、周期的（例えば１分周期）に測定されて工程データとして時系列的に工程データ管理サーバ２０に蓄積される。
【００１６】
送液工程１６には、主として、攪拌機４０Ａつきの中間タンク４０と送液ポンプ４２と送液量を測定する流量計４４が設けられ、調液工程１４で調液された塗布液が中間タンクで再度均一化されて塗布・乾燥工程１８の塗布装置４６に送液される。また、攪拌機４０Ａに設けられたタコメータ４０Ｂからの回転数や送液ポンプ４２に設けられたタコメータ４２Ａの回転数、及び中間タンク４０に設けれた温度センサー４０Ｂの測定温度が工程データとして時系列的に工程データ管理サーバ２０に蓄積される。
【００１７】
塗布・乾燥工程１８は、主として、塗布装置４６と乾燥装置４８とで構成され、ロール供給部５０から処理ラインに送り出されたウェブ５２は、塗布装置４６で塗布液が塗布されてから乾燥装置４８で乾燥された後、ロール巻取部５４に巻き取られる。これにより、塗層シートをロール状に巻回した製品ロールが製造される。乾燥装置４８は、塗布液が塗布されたウェブ５２が通過するケーシング５６内に熱風が供給されるように構成され、熱風を供給するエア配管５８には、熱風の温度を測定する温度センサー５８Ａとダンパー６０により制御される熱風供給量を測定する流量計５８Ｂが設けられる。そして、温度センサー５８Ａや流量計５８Ｂで周期的に測定された工程データは時系列的に工程データ管理サーバ２０に蓄積される。図１では、塗布・乾燥を一段だけ行う処理ラインで示したが、塗布・乾燥を複数段行うように塗布装置と乾燥装置を配列してもよい。
【００１８】
ロール供給部５０では、処理ラインで現在処理されているロールと、次に処理するロールのロールチェンジが行われると、ロールチェンジを知らせる通知が工程データ管理サーバ２０に出力されると共に、ロール巻取部５４では、ロールを巻き終わったことを知らせる通知が工程データ管理サーバ２０に出力される。
【００１９】
このように、各工程１４、１６、１８に設けられた各種のセンサー類で収集された工程データが工程データ管理サーバ２０に蓄積される。尚、工程データの種類としては上記したものに限定されず、例えば、調液工程１４ではタンクレベル（残量）、液粘度や比重等の物性値を測定したり、塗布・乾燥工程ではウェブ５２のテンションデータ等を測定して、工程管理を行う上で必要な全てのデータを収集することができる。
【００２０】
工程データ管理サーバ２０は、主として、データ収集手段であるセンサー類によって収集された工程データをデータ収集時刻が付された工程データとして保存するデータベースと、データベースからロール単位の工程データを収集してロール情報を作成するロール情報作成手段と、ロール情報作成手段によって作成されたロール情報に基づいてロール単位の帳票ファイル（以下「ロール報」という）を作成する帳票ファイル作成手段とで構成される。ここでは、データベースとロール情報作成手段と帳票ファイル作成手段の全ての機能を工程データ管理サーバ２０に担当させるようにしたが、データベースだけを工程データ管理サーバ２０に担当させて、ロール情報作成手段と帳票ファイル作成手段は、端末コンピュータ（図示せず）に担当させるようにしてもよい。
【００２１】
メッセージサーバ２２は、主として、工程故障や製品故障を故障信号やオペレータのメッセージとして保存するデータベースで構成され、データベースで保存されたメッセージは必要に応じて工程データ管理サーバ２０に取り込まれる。
【００２２】
図２は、工程データ管理サーバ２０でロール単位のロール報を作成するまでの仕組みをブロック図で示したものである。ロール報を作成するプログラムとしては、例えば表計算ソフトである「ＭＳ−Ｅｘｃｅｌ」を好適に使用することができ、以下「ＭＳ−Ｅｘｃｅｌ」の例で説明する。プログラムはプログラムフォルダ６８に格納されている。
【００２３】
図２に示すように、ロール製造装置１２に設けられたセンサー類で収集された各種の工程データは、外部インターフェース機構６２を介して工程データ管理サーバ２０のデータベース６４に時系列的に保存される。また、メッセージデータは、その都度、メッセージサーバ２２のデータベース６６に時系列的に保存される。工程データ管理サーバ２０のデータベース６４に保存された工程データは、経時的なトレンドデータとして表示手段６５に表示することができ、メッセージサーバ２２のデータベース６６に保存されたメッセージデータは、表示手段６７に表示することができる。
【００２４】
そして、ロール供給部５０においてロールチェンジがあったことの通知を受信すると、図３（ａ）に示す処理１のロール巻取開始処理を行う。即ち、処理１において、「ロール巻取開始時刻」とロール巻取開始時刻が記された「工程データ（表部分）」のデータをテキストデータとしてテキストファイル６１に保存する。
【００２５】
次に、前記ロールチェンジされたロールが処理ラインで塗布・乾燥処理されてロール巻取部５４に巻き終わったことの通知を受信すると、図３（ｂ）に示す処理２〜５のロール巻取終了処理を行う。即ち、処理２において、「ロール巻取終了時刻」、ロール単位を特定する識別情報である「ロールＮｏ．」と「原反ロールＮｏ．」、ウェブ５２が処理ラインを搬送される「ラインスピード」のデータをテキストデータとしてテキストファイル６３に保存する。次に処理３において、工程データやメッセージデータを貼り付ける前のデータシートである「ＭＳ−Ｅｘｃｅｌ」ロール報の元ファイル７０を開く。そして、処理４において、開いた元ファイル７０に、処理１で保存しておいたロール巻取開始時刻が記された「工程データ（表部分）」を貼り付けると共に、処理２で保存しておいた「ロール巻取終了時刻」，「ロールＮｏ．」，「原反ロールＮｏ．」を貼り付け、更に「データ収集開始時間」と「データ収集終了時間」を貼り付ける。また、「データ収集開始時間」は、処理２で保存しておいた「ラインスピード」を使用して次のように算出する。即ち、ロール報を作成するロールのウェブ先端がロール巻取部５４で巻き取られるロール巻取開始時刻よりも次式（１）の所定の時間ｔだけ前の時刻をデータ収集開始時刻とする。これにより、ロール報を作成するロールに対応する工程データのみを収集することができる。
【００２６】
【数１】ｔ＝Ｌ／Ｖ…（１）
但し、Ｌ：処理ラインの入口からロール巻取部までの距離
Ｖ：ラインスピード
処理ラインの入口とは、処理ラインにおいてウェブ５２に処理が開始される位置であり、図１では塗布装置４６の位置である。複数段の塗布・乾燥を行う場合には、最初の塗布装置４６の位置である。次に、処理５において、元ファイル７０に名称を付けてロール報フォルダ７２に保存し、元ファイル７０を閉じる。これにより、工程データを製品単位であるロール単位に関連づけたロール報を作成するために最低限必要なデータのみが元ファイル７０に貼り付けられた一時的な帳票ファイルが作成される。ロール報フォルダ７２に保存する一時的な帳票ファイルの形式としては、工程データを時系列で表にした瞬時データ表、工程データを経時的な変化としてグラフ化したトレンドデータ等をブック形式にしたＥｘｃｅｌＢｏｏｋ　形式ファイルにして保存する。一時的な帳票ファイルの名称は、処理２で保存されている「ロールＮｏ．」や「原反ロールＮｏ．」にそのロールを製造した年月日を組み合わせて形成するとよい。
【００２７】
そして、オペレータが実際にロール報の作成操作を行うときに、一時的な帳票ファイルに保存されたデータ収集開始時刻及びデータ収集終了時刻に基づいて工程データ管理サーバのデータベース６４から対応するロールの工程データを収集し、収集された工程データを一時的な帳票ファイルに統合させた最終的な帳票ファイル７４（ロール報７４）を作成する。ロール報７４の作成操作は、ファイル操作にて展開することができる。
【００２８】
即ち、図４（ａ）に示すように、ブック形式で保存されている一時的な帳票ファイルのうち、トレンドデータのみのロール報７４を作成する場合には、帳票上のマクロボタンのうち、シートのデータ取得スイッチ（ＳＷ）をクリックする。これにより、グラフデータシートに、そのロールＮｏ．に対応したデータ収集開始時間〜データ収集終了時間の工程データが、工程データ管理サーバのデータベース６４から抜き出されて貼り付けられる。
【００２９】
また、図４（ｂ）に示すように、ブック形式で保存されている一時的な帳票ファイルのうち、ブック全体のロール報を作成する場合には、帳票上のマクロボタンのうち、ブックのデータ取得スイッチ（ＳＷ）をクリックする。これにより、図５に示すように、トレンドデータシート、瞬時データシート等の全てのグラフデータシートに、そのロールＮｏ．に対応したデータ収集開始時間〜データ収集終了時間の工程データが、工程データ管理サーバのデータベース６４から抜き出されて貼り付けられる。
【００３０】
また、図４（ｃ）に示すように、メッセージサーバ２２に保存されているメッセージデータについてロール単位のロール日報を作成する場合には、そのロールＮｏ．に対応したデータ収集開始時間〜データ収集終了時間のメッセージデータが、メッセージサーバのデータベース６６から抜き出されて貼り付けられる。
【００３１】
本発明によれば、このように、データベース６４、６６に時系列で保存されている工程データの中から、或るロール単位に対応する時間範囲の工程データだけを、予め作成してある一時的な帳票ファイルに貼り付けていくだけでロール報７４を作成できるので、ロール報７４を短時間で効率的に作成することができる。
【００３２】
また、本発明によれば、ロール製造装置１２の製品単位がロール単位であることに鑑みて、ロール製造装置で発生する工程データやメッセージデータの全てをロール単位に関連づけた帳票ファイルとして、ロール報を作成するようにしたので、ロール報には或るロールを解析する上で必要なデータだけが含まれ、余計なデータが含まれない。従って、或るロールに関係する工程故障や製品故障があったときに、故障原因を速やかに解析することができるので、精度の良い工程管理を行うことができる。また、ロール報には或るロールに関連する全てのデータが纏まった形で出来上がるので、従来のようにオペレータが工程データの中から必要なデータを検索抽出する必要がなく、オペレータの労力や時間を軽減することができる。
【００３３】
尚、上記した「データ収集開始時間」の決め方において、ロール製造装置のラインスタートの場合には、ラインをスタートさせた後、ラインが安定した時を「データ収集開始時間」とすることが好ましい。ラインが安定しないときの工程データを収集すると、かえって誤ったデータ解析をしてしまうためである。また、ロール製造装置のラインエンドの場合には、上記（１）式によって「データ収集開始時間」を決めればよい。
【００３４】
【発明の効果】以上説明したように本発明に係るロール報作成システムによれば、オペレータの労力と時間を軽減すると共に、ロール製造装置に好適な工程データの管理を行うことができるので、精度のよい工程管理を行うことができる。
【図面の簡単な説明】
【図１】本発明に係るロール報作成システム１０を、塗層シートの製品ロールを製造するためのロール製造装置１２に組み込んだ一例の全体構成図
【図２】工程データを基に工程データ管理サーバ２０でロール単位のロール報を作成するまでの仕組みをブロック図
【図３】ロールチェンジに基づいて工程データ管理サーバが一時的なロール報を作成する手順を説明する説明図
【図４】最終的なロール報を作成する方法を説明する説明図
【図５】ブック形式のロール報の一例を示した概略図
【符号の説明】
１０…ロール報作成システム、１２…ロール製造装置、１４…調液工程、１６…送液工程、１８…塗布・乾燥工程、２０…工程データ管理サーバ、２２…メッセージサーバ、２４…調液タンク、２６、２８…薬品配管、３０…攪拌機、３２…恒温槽、３４…循環ポンプ、３６…循環配管、３８…保温ジャケット、４０…中間タンク、４２…送液ポンプ、４４…流量計、４６…塗布装置、４８…乾燥装置、５０…ロール供給部、５２…ウェブ、５４…ロール巻取部、５６…ケーシング、５８Ｂ…流量計、６０…ダンパー、６２…外部インターフェース機構、６４…工程データ管理サーバのデータベース、６６…メッセージサーバのデータベース、６８…プログラムフォルダ、７０…元ファイル、７２…ロール報フォルダ、７４…ロール報
【図１】
2004038623.tif 000003
【図２】
2004038623.tif 000004
【図３】
2004038623.tif 000005
【図４】
2004038623.tif 000006
【図５】
2004038623.tif 000007